(57)【要約】【課題】画像形成システムに備え、設置位置の変更が可能な操作部に接続されているケーブルの長さを、操作部の設置位置に応じて適切な長さに調整することを可能にする。【解決手段】本体装置または該本体装置に接続された付属装置のいずれかに設置可能な操作部と、該操作部と前記本体装置とを外部接続するケーブルと、該ケーブルを所定長さで前記本体装置内に取り入れる動作が可能なケーブル長さ調整部と、前記ケーブル長さ調整部の動作を制御する制御部とを備え、前記制御部では、操作部の設置位置からケーブルの長さ調整必要量を求めて前記ケーブル長さ調整部の動作を制御する。設置位置に対応して制御部によりケーブルの外部長さが適切かつ自動的に調整される。【選択図】図５
2010243977.tif 000002
【特許請求の範囲】
【請求項１】
本体装置または該本体装置に接続された付属装置のいずれかに設置可能な操作部と、該操作部と前記本体装置とを外部接続するケーブルと、該ケーブルを所定長さで前記本体装置内に取り入れる動作が可能なケーブル長さ調整部と、前記ケーブル長さ調整部の動作を制御する制御部と、を備え、
前記制御部は、前記操作部の設置位置から前記ケーブルの長さ調整必要量を求め、該調整必要量に基づいて前記ケーブル長さ調整部の動作量を決定し、該動作量に従って前記ケーブル長さ調整部を動作させることを特徴とするケーブルの外部長さ調整が可能な装置。
【請求項２】
前記制御部は、前記操作部の設置位置に対応する前記ケーブルの外部長さと、該ケーブルの外部最大長さの差分を前記ケーブルの長さ調整必要量とすることを特徴とする請求項１記載のケーブルの外部長さ調整が可能な装置。
【請求項３】
前記制御部は、前記操作部の設置位置に対応する前記ケーブルの外部長さと、該ケーブルの実際の外部長さの差分を前記ケーブルの長さ調整必要量とすることを特徴とする請求項１記載のケーブルの外部長さ調整が可能な装置。
【請求項４】
前記操作部の各設置位置に対応する前記ケーブルの外部長さのデータが格納された記憶部を有し、前記制御部は、該記憶部から前記データの参照が可能であることを特徴とする請求項１〜３のいずれかに記載のケーブルの外部長さ調整が可能な装置。
【請求項５】
前記記憶部に前記ケーブルの外部最大長さのデータが格納されていることを特徴とする請求項４記載のケーブルの外部長さ調整が可能な装置。
【請求項６】
前記操作部の各設置位置に対応する前記ケーブルの外部長さの調整必要量のデータが格納された記憶部を有し、前記制御部は、該記憶部から前記データの参照が可能であることを特徴とする請求項１〜３のいずれかに記載のケーブルの外部長さ調整が可能な装置。
【請求項７】
前記ケーブル長さ調整部は、前記本体装置内に取り入れられた前記ケーブルの一部または全部を手動により取り出し可能であることを特徴とする請求項１記載のケーブルの外部長さ調整が可能な装置。
【請求項８】
前記ケーブル長さ調整部は、前記本体装置内への前記ケーブルの取り入れ動作とともに、前記本体装置内から所定長さで前記ケーブルの取り出し動作が可能であることを特徴とする請求項１記載のケーブルの外部長さ調整が可能な装置。
【請求項９】
前記ケーブルの長さ調整は、前記ケーブルの取り入れと取り出しの両方を含むものであることを特徴とする請求項７または８に記載のケーブルの外部長さ調整が可能な装置。
【請求項１０】
前記操作部は、前記本体装置または該本体装置に接続された前記付属装置のいずれかに着脱可能に設置され、かつ設置位置の変更が可能であることを特徴とする請求項１〜９のいずれかに記載のケーブルの外部長さ調整が可能な装置。
【請求項１１】
前記制御部は、設置位置の変更前の前記ケーブルの外部長さと、変更後の設置位置に対応する前記ケーブルの外部長さとの差分を前記ケーブルの長さ調整必要量とすることを特徴とする請求項１０記載のケーブルの外部長さ調整が可能な装置。
【請求項１２】
前記制御部は、変更される設置位置間における前記ケーブルの長さ調整必要量のデータが格納された記憶部を備えることを特徴とする請求項１０記載のケーブルの外部長さ調整が可能な装置。
【請求項１３】
前記ケーブルの前記本体装置への取り入れ長さまたは取り出し長さを検知する出入り長さ検知部を備えることを特徴とする請求項１〜１２のいずれかに記載のケーブルの外部長さ調整が可能な装置。
【請求項１４】
前記操作部の設置位置を検知する位置検知部が、該操作部と、前記本体装置および前記付属装置の一方または両方に設けられており、前記検知の結果が前記制御部に送信されるものであることを特徴とする請求項１〜１３のいずれかに記載のケーブルの外部長さ調整が可能な装置。
【請求項１５】
前記検知の結果が前記ケーブルで伝送されることを特徴とする請求項１４記載のケーブルの外部長さ調整が可能な装置。
【請求項１６】
前記検知部は、前記本体装置および前記付属装置とにそれぞれ設けられた、設置位置情報を有するＩＣタグと、前記操作部に設けられたＩＣタグリーダとからなることを特徴とする請求項１４または１５に記載のケーブルの外部長さ調整が可能な装置。
【請求項１７】
前記操作部の設置位置の情報は、該操作部における操作者の操作入力によって前記制御部に与えられるものであることを特徴とする請求項１〜１５のいずれかに記載のケーブルの外部長さ調整が可能な装置。
【請求項１８】
前記操作部の設置位置の情報は、前記本体装置および前記付属装置とにそれぞれ設けられたスイッチにおける操作者の操作によって前記制御部に与えられるものであることを特徴とする請求項１〜１５のいずれかに記載のケーブルの外部長さ調整が可能な装置。
【請求項１９】
前記制御部は、前記操作部の設置位置情報が取得できない場合、前記ケーブル長さ調整部による前記ケーブルの長さ調整を禁止することを特徴とする請求項１〜１８のいずれかに記載のケーブルの外部長さ調整が可能な装置
【請求項２０】
画像形成装置を前記本体装置として備える画像形成システムであることを特徴とする請求項１〜１９のいずれかに記載のケーブルの外部長さ調整が可能な装置。
【発明の詳細な説明】
【技術分野】
【０００１】
この発明は、画像形成システムなど、本体装置に接続されて使用される操作部のケーブルの外部長さの調整が可能な装置に関するものである。
【背景技術】
【０００２】
装置に接続されたケーブルは、余分な長さを有していると、使い勝手が悪かったりするため、適切な長さに調整できるのが望ましい。例えば、掃除機本体に接続されたホースを該掃除機本体内に巻き取り可能にし、手許スイッチを押す時間に従って巻き取るホース量を調節可能にした掃除機が知られている（特許文献１参照）。
【０００３】
また、画像形成データに基づいて画像形成を行う画像形成システムでは、画像形成装置の他に、給紙ユニット・搬送ユニット・後処理ユニットなどのオプション装置が接続された全長が長い大型のシステムも実用化されている。
画像形成システムでは、通常は画像形成装置に備える操作部を通して各種の操作を行っており、操作部は、画像形成装置に固定され、該画像形成装置に電気的に接続されている。ところで、上記のような大型の画像形成システムでは、画像形成装置から離れた場所で操作者が付属のオプション装置に対する作業などを行うこともあり、この作業の頻度が多いような場合には、画像形成装置まで戻って操作部の操作を行うのは効率が悪い。このため、例えば、図６（ａ）に示すように、操作部４を画像形成装置２のみだけでなく、付属装置としての第１給紙オプション装置（ＰＦＵ１）１０、第２給紙オプション装置（ＰＦＵ２）１１、中継ユニット（ＲＵ）１２、第１後処理オプション装置（ＦＮＳ）１３、第２後処理オプション装置（ＰＢ）１４などにも着脱可能に設置できるようにして、該操作部４と画像形成装置２とをケーブル３で接続したものが提案されている。この場合、該ケーブル３は、画像形成装置２から最も遠い設置位置を考慮して数メートルにもなるような十分な長さを有することが必要になる。
【先行技術文献】
【特許文献】
【０００４】
【特許文献１】特開平８−１０７８５１号公報
【発明の概要】
【発明が解決しようとする課題】
【０００５】
しかし、上記画像形成システムのように、最遠の設置位置を考慮してケーブルの長さを設定すると、それよりも近い位置に操作部を設置した場合には、ケーブルに余りが生じてしまい、その量が多い場合には設置床にケーブルが垂れてしまうような状況も生じる。このような余りのケーブルは、見た目が悪いばかりではなく、操作者が引っ掛かるおそれもあり、この場合には半固定された操作部が転倒したり、最悪の場合には装置から落下するおそれがある。
【０００６】
これに対し、前記特許文献１に示したように画像形成装置にケーブルの巻き取り装置を設け、操作部４などでの操作によってケーブルの長さ調整を行うことが考えられる。しかし、ケーブルの長さ調整は、操作者の操作時間によって巻き取り長さを調整しつつ行うので、調整を正確に行うことは難しく、図６（ｂ）に示すように、ケーブル３を巻き取り過ぎてしまうと、操作部４がケーブル３で引っ張られ、転倒や落下が生じてしまうおそれがあるという問題がある。
【０００７】
本願発明は、上記事情を背景としてなされたものであり、操作部のケーブルを設置位置に応じて適切な長さに容易に調整することができる、ケーブルの外部長さ調整が可能な装置を提供することを目的とする。
【課題を解決するための手段】
【０００８】
すなわち、本発明のケーブルの外部長さ調整が可能な装置は、本体装置または該本体装置に接続された付属装置のいずれかに設置可能な操作部と、該操作部と前記本体装置とを外部接続するケーブルと、該ケーブルを所定長さで前記本体装置内に取り入れる動作が可能なケーブル長さ調整部と、前記ケーブル長さ調整部の動作を制御する制御部と、を備え、前記制御部は、前記操作部の設置位置から前記ケーブルの長さ調整必要量を求め、該調整必要量に基づいて前記ケーブル長さ調整部の動作量を決定し、該動作量に従って前記ケーブル長さ調整部を動作させることを特徴とする。
【０００９】
本発明によれば、制御部による制御によってケーブルの長さが操作部の設置位置に適した長さに自動的に調整され、ケーブルの余りが長くなりすぎたり、ケーブルが短くなり過ぎたりするのを防止することができる。
本装置としては、画像形成装置を本体装置として備える画像形成システムが代表例として挙げられる。画像形成システムでは、必要に応じてオプション装置として、給紙ユニット・搬送ユニット・後処理ユニットなどが装置本体に接続される。そのため、操作部を画像形成装置に接続するケーブルもシステム構成によって長さが異なり、かつ十分な長さを有することが必要であり、ケーブルの長さ調整を適切に調整したいという要望は大きい。ただし、本発明としては適用範囲が画像形成システムに限定をされるものではなく、操作部の設置位置を変更可能な装置において広く適用することができる。
【００１０】
前記ケーブルは、操作部と装置本体との間で信号の授受を行ったり、電力供給を行ったりするものとして備えられている、本発明としてはケーブルの目的が特定のものに限定されるものではなく、複数本により構成されるものであってもよい。
操作部は、操作者が操作入力を行う機能を有しており、適宜の情報を表示する表示部を兼ねるものであってもよい。操作部は、本体装置および付属装置の所定箇所に設置することが可能であり、好適には、脱着可能にして設置位置を変更できるのが望ましい。設置は、通常は各装置で定められた所定位置に限っておこなわれるが、各装置で複数箇所において設置可能とするものであってもよく、また、任意の位置に設置可能とするものであってもよい。任意の位置に設置する場合にも、設置位置の情報が取得されることが必要である。
【００１１】
ケーブル長さ調整部は、駆動力を用いて外部のケーブルの一部を所定の長さで本体装置内に取り入れて収容できるものであればよく、例えばケーブルを巻き取って、その巻き取り量によってケーブルの外部長さを調整することができる。ただし、本発明としてはケーブル長さ調整部の構成が特に限定されるものではなく、適宜構成を採用することが可能である。また、ケーブル長さ調整部は、上記取り入れの他、必要に応じて所定長さで外部にケーブルを取り出すことができるのが望ましい。これにより、より遠い設置位置に操作部を移動させる際に、必要なケーブル長さを確保することができる。ケーブルの取り出しは、装置本体内に取り入れたケーブルを手動によって引き出せるようにしたものでもよい。その後、ケーブル長さ調整部でケーブルの外部長さを適切に調整することができる。また、取り入れと同様に駆動力を用いて装置本体内のケーブルを所定長さで外部に取り出せるようにすることもできる。この際に、操作部の設置位置に対応するように、取り出し量を調整するのが望ましい。
【００１２】
本発明の制御部は、ＣＰＵとこれを動作させるプログラムによって構成することができる。制御部は、ケーブル長さ調整専用のものとして備えるものでもよく、また本体装置などの全体を制御するものを利用するものであってもよい。
【００１３】
ケーブル長さ調整部によるケーブルの取り入れ長さまたは取り出し長さの調整は、予め把握されている制御量と取り入れ長さまたは取り出し長さとの関係より、制御部によって制御量を定めて実行することができる。制御量と取り入れ長さまたは取り出し長さとの関係は、不揮発のフラッシュメモリ、ＨＤＤなどの記憶部に格納しておき、制御部によって適宜読み出して制御に用いることができる。また、前記本体装置への取り入れ長さまたは取り出し長さを検知する出入り長さ検知部を設け、この検知結果に基づいて制御部によりケーブル長さ調整部の動作を調整するようにしても良い。出入り長さ検知部は、決定された制御量に基づいてケーブルの取り入れ長さまたは取り出し長さを調整する場合にも、設けることが可能であり、これにより長さ調整の精度を上げたり、手動によりケーブルを引き出す際の引き出し量を検知することができる。
【００１４】
ケーブルの長さ調整は、操作部の設置位置に対応するケーブルの外部長さと、実際のケーブルの外部長さの差分に基づいて行うことができ、この差分の分だけ、ケーブルの本体装置に取り入れたり、取り出したりすることで、ケーブルの外部長さを適切に調整することができる。操作部の設置位置に対応するケーブルの外部長さは、各操作位置毎に定めておき、これを記憶部に格納しておくことで、制御部により適宜読み出すことができる。記憶部は、不揮発のフラッシュメモリやＨＤＤなどにより構成することができる。実際のケーブルの外部長さは、装置の設置当初は最大長さを有しており、これを実際の長さとして上記差分を求めることができる。ケーブルの最大長さは、不揮発な記憶部に格納しておき、制御部により必要に応じて読み出すことができる。また、実際のケーブルの外部長さは、初期の長さが把握されていれば、ケーブル長さ調整部による調整長さや出入り長さ検知部による検知結果から制御部によって算出することができる。
また、記憶部には、設置位置に対応した長さ調整量のデータを格納しておくこともできる。これにより該データを用いて最大長さのケーブルを設置位置に応じて適切な長さに調整することができる。
【００１５】
また、操作部を脱着して設置位置を変更する場合、変更前後の設置位置に対応するケーブルの外部長さの差分によって必要調整長さを得ることができる。該必要調整長さは、それぞれの外部長さの差を制御部によって算出することで取得することができ、また、異なる設置位置間の必要調整長さを予め算出してデータテーブルとして不揮発の記憶部に格納しておき、制御部によって必要データを読み出すようにしてもよい。
【００１６】
また、操作部の設置位置の情報は、適宜の検知部で設置およびその位置を検知することで取得することができ、また、操作者による操作によって取得するようにしてもよい。
操作者による操作によるものとしては、操作部において操作者が設置位置の情報を与えることができ、また、本体装置、各付属装置にスイッチを設け、該スイッチの操作によって設置位置の情報を与えることができる。さらに、検知部で検知するものとしては、操作部と、本体装置および付属装置の一方または両方に検知部を設けることで設置位置の検知を可能にすることができる。簡易な方法として、ＩＣタグとＩＣタグリーダを組み合わせたものが挙げられる。各装置に設置位置情報を格納したＩＣタグを設け、一方、操作部にＩＣタグリーダを設けておき、操作部を所定の設置位置に設置した際に、ＩＣタグリーダによってＩＣタグの情報が読み取られるようにすることで、設置位置情報を容易かつ自動的に取得することができる。また、フォトセンサなどを用いて操作部と各装置とにそれぞれ該センサの受光部と発光部を設けて検知することで、設置情報を取得することができる。設置位置情報は、ケーブルを通して制御部に送信することができる。なお、各装置は、通常は通信線で接続されており、上記検知部の検知結果の送受信は、装置間の前記通信線を利用することもできるが、上記ケーブルを利用するのが望ましい。これは装置の使用状況によっては通電状態になかったり、使用状態になっていないものもあり、確実に情報を伝達するという点でケーブルの使用が望ましい。
【００１７】
前記制御部では、設置位置情報を取得した後や、操作者による実行指令を受けた後に、自動的にケーブルの長さ調整を実行させるようにすることができるが、設置位置情報が取得されない場合、操作者による実行指令があるような場合にも、制御部ではケーブルの長さ調整を禁止するのが望ましい。これにより不適切なケーブルの長さ調整によって操作部の転倒や転落が起こるのを回避することができる。
【発明の効果】
【００１８】
以上説明したように、本発明のケーブルの外部長さ調整が可能な装置は、本体装置または該本体装置に付設された付属装置のいずれかに設置される操作部と、該操作部と前記本体装置とを外部接続するケーブルと、該ケーブルを所定長さで前記本体装置内に取り入れる動作が可能なケーブル長さ調整部と、前記ケーブル長さ調整部の動作を制御する制御部と、を備え、前記制御部は、前記操作部の設置位置から前記ケーブルの長さ調整必要量を求め、該調整必要量に基づいて前記ケーブル長さ調整部の動作量を決定し、該動作量に従って前記ケーブル長さ調整部を動作させるので、操作部の設置箇所に応じてケーブルの長さを駆動力によって自動的に適切な長さに調整することができ、ケーブルの長さを十分に短くできなかったり、必要以上に短くなって操作部の転倒などが生じるのを未然に防ぐことができる。
【図面の簡単な説明】
【００１９】
【図１】本発明の一実施形態における画像形成システムの概略構成を示す図である。
【図２】同じく、ケーブル長さ調整部の詳細構成を示す一部拡大図である。
【図３】同じく、一部の機能ブロック図である。
【図４】同じく、操作部の設置位置情報を取得する他の手段を示す図である。
【図５】同じく、ケーブルの長さ調整を行う手順を示すフローチャートである。
【図６】従来の画像形成システムにおける概略構成を示す図である。
【発明を実施するための形態】
【００２０】
以下に、本発明の一実施形態を添付図面に基づいて説明する。なお、従来と同様の構成については同様の符号を付して説明する。
図１は、本発明の装置に相当する画像形成システムの概略を示すものである。
該画像形成システム１は、本体装置として画像形成装置２を備え、該画像形成装置２に一部の取り入れおよび取り出しが可能にケーブル３が接続されており、該ケーブル３は画像形成装置２外に延伸して操作部４が接続されている。また、画像形成装置２では、後述するケーブル長さ調整部５でケーブル３の巻き取り、引き出しが可能になっており、該ケーブル３の基端側は、画像形成装置２に備える制御部６に電気的に接続されている。制御部６は、ＣＰＵとこれを動作させるプログラムとを主構成としており、画像形成装置２全体を制御する画像形成制御部の一部により構成されるものであってもよい。
【００２１】
画像形成システム１では、画像形成装置（ＭＵ）２の一側方に、付属装置として第１給紙オプション装置（ＰＦＵ１）１０、第２給紙オプション装置（ＰＦＵ２）１１が付設され、他側方に中継ユニット（ＲＵ）１２、折り、パンチなどを行う第１後処理オプション装置（ＦＮＳ）１３、裁断、糊付けなどを行う第２後処理オプション装置（ＰＢ）１４が付設されている。上記第１給紙オプション装置１０、第２給紙オプション装置１１からは、画像形成装置２に所定の用紙の給紙が可能になっており、画像形成装置２では、画像データに基づいて用紙に画像形成を行う。画像形成装置２で画像形成が行われた用紙は、排紙され、中継ユニット１２を介して、第１後処理オプション装置１３または第２後処理オプション装置１４で所望の後処理が施される。
【００２２】
また、各オプション装置には、前記操作部４が設置される位置にそれぞれＩＣタグ１０ａ、１１ａ、１２ａ、１３ａ、１４ａが設けられており、操作部４には、これらＩＣタグの情報を読み取るＩＣタグリーダが操作部設置位置検知センサ４ａとして備えられている。各ＩＣタグには、設置位置情報が読み取り可能に格納されている。設置位置情報は、例えば装置の識別情報や位置そのものを示す情報とすることができる。
操作部４が操作者によって各装置に設置されると、操作部４内の操作部設置位置検知センサ４ａが、設置された装置に設けられたＩＣタグを検知し、検知結果が制御部６に送信されて操作部４の設置位置がいずれの装置であるかが判定される。
【００２３】
次に、上記ケーブル３が画像形成装置２に対し、取り入れ、取り出しが可能になっている構成を図２に基づいて説明する。
ケーブル３は、画像形成装置２の外面に回転可能に取り付けられたガイド筒５０内をローラ群５１で支持されつつ、画像形成装置２内に案内されており、先端側が巻き取りドラム５２に固定されている。巻き取りドラム５２は駆動モータ５３で正逆回転可能になっている。また、巻き取りドラム５２に巻き取られる直前では、ケーブル３を挟むように駆動ローラ５４、５５が配置されている。これら駆動モータ５３および駆動ローラ５４、５５は、制御部６により動作が制御される。
【００２４】
次に、図３は、上記画像システム１におけるケーブル長さ調整についての機能ブロックを示すものであり、以下に説明する。
画像形成装置２では、制御部６は、巻取制御部６０と通信制御部６１とを備えており、該制御部６の巻取制御部６０がケーブル長さ調整部５の制御を行う。また、制御部６には、フラッシュメモリなどの不揮発の記憶部７が接続されており、ケーブル長さ調整のためのデータが格納されている。例えば、操作部の各設置位置に対応するケーブル長さ調整量をデータとして格納しておく。通信制御部６１は、ケーブル３に電気的に接続されて、該ケーブル３を通した通信を可能にしている。
操作部４では、ケーブル３に通信制御部４ｂが電気的に接続されており、該ケーブル３を通した通信を可能にしている。これにより操作部４と画像形成装置２との間で通信をおこなうことができる。
【００２５】
操作部４には、上記したように操作部設置位置検知センサ４ａが設けられており、該操作部設置位置検知センサ４ａの検知結果は、通信制御部４ｂ、ケーブル３、通信制御部６１を通して巻取制御部６０に送信可能になっている。したがって、操作部４が適宜の装置に設置されると、該装置に設けられたＩＣタグの情報が操作部設置位置検知センサ４ａで読み取られ、制御部６の巻取制御部６０に送信される。
巻取制御部６０では、該操作部設置位置検知センサ４ａの検知結果によって操作部４の設置位置情報を取得することができる。記憶部７では、各設置位置に対応したケーブル３の巻き取り長さが記憶されている。該巻き取り長さは、ケーブル３の最大長さに対する各設置位置に対応する長さの差分として与えられるものである。これと異なり、記憶部７に、ケーブルの最大長さと、各装置に対応するケーブルの外部長さの情報を予め格納しておき、該差分を巻取制御部６０によって算出するようにしてもよい。
下記表１は、記憶部７に格納された各設置位置に応じた巻き取り長さのデータテーブルを示すものである。これにより、設置位置情報を取得すると、該データテーブルを参照して、必要な巻き取り長さ情報を容易に取得することができる。
【００２６】
【表１】
2010243977.tif 000003
【００２７】
巻取制御部６０では、上記巻き取り長さに応じてケーブル長さ調整部５に対し、ケーブル３を所定の長さで巻き取る制御指令を送信する。巻取制御部６０では、動作制御量と巻き取り長さの関係を予め取得しておくことで、ケーブル長さ調整部５の動作量を制御して正確な長さでケーブル３の一部を巻き取ることができる。また、記憶部７に設置位置に関連付けて長さ調整量として動作制御量を格納しておくこともできる。
巻き取り動作は、具体的には、巻き取りドラム５２を回転させてケーブル３を巻き取りドラム５２の外周面に巻き取るとともに、駆動ローラ５４、５５を回転させてケーブル３を後進させる。これによりケーブル３は円滑に移動しつつ巻き取りドラム５２に巻き取られ、ケーブル３の外部長さは、操作部４の設置位置に対応した適切な長さに調整される。
制御部６によるケーブルの長さ調整は、設置位置の情報取得後、直ちに行ってもよく、また、設置位置の情報取得後、操作者の実行指示を待って行ってもよい。
【００２８】
上記実施形態では、設置位置の情報取得をＩＣタグを利用した操作部設置位置検知センサにより行うものとしたが、操作者の操作によって設置位置の情報を取得するものであってもよい。
図４（ａ）は、操作部４の設置位置選択画面４０を示すものであり、該設置位置選択画面４０には、操作部４が設置される各装置が表示され、選択可能になっている。操作者は、操作部４を所望の装置に設置した後、操作部４に設置位置選択画面４０を表示させ、操作部４を設置した装置が表示されている部分を押釦することで、押釦情報は制御部６に送信され、該制御部６で設置位置情報を取得することができる。制御部６では、該情報に基づいて、上記と同様に、ケーブルの外部長さの調整を行うことができる。この場合、制御部６では、巻取制御部６０によって設置位置情報を取得した後、直ちにケーブルの一部巻き取りを行ってもよく、さらに、操作部を通した巻き取り指示を待って該巻き取りを行ってもよい。
【００２９】
図４（ｂ）は、各装置に操作スイッチ２ｂ、１０ｂ、１１ｂ、１２ｂ、１３ｂ、１４ｂを設け、操作部４をいずれかの装置に設置した後、該当する装置の操作スイッチを操作者が操作することで、操作スイッチの情報が、各装置を通して画像形成装置２に送信され、該画像形成装置２の制御部６で、該情報が取得される。制御部６では、この情報取得とともに、操作スイッチの操作を巻き取り指示として、ケーブル長さ調整部５を動作させて、ケーブル３の巻き取り調整を行うこともできる。また、制御部６は、操作スイッチによる操作の後、操作部４からの実行指示を待って、ケーブルの長さ調整を行うようにしてもよい。操作指示は、例えば操作部４に長さ調整のＯＫ釦などを設け、これを操作者が押釦すると、制御部６では、長さ調整の実行指示として長さ調整を実行することができる。
【００３０】
図５は、制御部６において、装置位置情報を取得した後、操作部４の画面上に、巻き取りを開始するか否かの選択を操作者に求め、操作指示を待ってケーブルの長さ調整を行う制御手順を示すフローチャートである。
最初に、ケーブル３が初期値の最大長さを有する状態にして、操作部４の設置位置情報の取得を開始する（ステップｓ０）。設置位置の情報は、前記したＩＣタグを利用したセンサや、操作部、操作スイッチによる操作者の操作入力などによって取得することができる。本発明としては情報の取得方法は特に限定されるものではない。
【００３１】
先ず、操作部４の設置位置が本体装置である画像形成装置２であるか否かの判定がなされる（ステップｓａ０）。設置位置が画像形成装置２でない場合（ステップｓａ０、ＮＯ）、次装置での設置位置の判定がなされる。一方、設置位置が画像形成装置２である場合（ステップｓａ０、ＹＥＳ）、操作部４で、操作者によって巻き取りの指示がなされたか否かの判定がなされる（ステップｓａ１）。巻き取りの指示がなされていない場合（ステップｓａ１、ＮＯ）、次装置での設置位置の判定がなされる。巻き取りの指示がされている場合（ステップｓａ１、ＹＥＳ）、記憶部７に格納されているデータテーブルを参照し、画像形成装置２に対応する巻き取り長さデータＤａを取得し、該データに基づいてケーブル長さ調整部５を制御し、ケーブル３を長さＤａだけ巻き取る。これによりケーブル３は、画像形成装置２への設置に対応した適切な外部長さに調整される。該調整後は、設置位置の判定を繰り返す。
【００３２】
設置位置が画像形成装置２でない場合、上記のように、次装置である中継ユニット１２に操作部４が設置されているか否かの判定を行う（ステップｓｂ０）。設置位置が中継ユニット１２でない場合（ステップｓｂ０、ＮＯ）、次装置での設置位置の判定がなされる。一方、設置位置が中継ユニット１２である場合（ステップｓｂ０、ＹＥＳ）、操作部４で、操作者によって巻き取りの指示がなされたか否かの判定がなされる（ステップｓｂ１）。巻き取りの指示がなされていない場合（ステップｓｂ１、ＮＯ）、次装置での設置位置の判定がなされる。巻き取りの指示がされている場合（ステップｓｂ１、ＹＥＳ）、記憶部７のデータテーブルを参照し、中継ユニット１２に対応する巻き取り長さデータＤｂを取得し、該データに基づいてケーブル長さ調整部５を制御し、ケーブル３を長さＤｂだけ巻き取る。これによりケーブル３は、中継ユニット１２への設置に対応した適切な外部長さに調整される。該調整後は、設置位置の判定を繰り返す。
【００３３】
設置位置が中継ユニット１２でない場合、上記のように、次装置である第１後処理オプション装置１３に操作部４が設置されているか否かの判定を行う（ステップｓｃ０）。設置位置が第１後処理オプション装置１３でない場合（ステップｓｃ０、ＮＯ）、次装置での設置位置の判定がなされる。一方、設置位置が第１後処理オプション装置１３である場合（ステップｓｃ０、ＹＥＳ）、操作部４で、操作者によって巻き取りの指示がなされたか否かの判定がなされる（ステップｓｃ１）。巻き取りの指示がなされていない場合（ステップｓｃ１、ＮＯ）、次装置での設置位置の判定がなされる。操作部４で巻き取りの指示がされている場合（ステップｓｃ１、ＹＥＳ）、記憶部７のデータテーブルを参照し、第１後処理オプション装置１３に対応する巻き取り長さデータＤｃを取得し、該データに基づいてケーブル長さ調整部５を制御し、ケーブル３を長さＤｃだけ巻き取る。これによりケーブル３は、第１後処理オプション装置１３への設置に対応した適切な外部長さに調整される。該調整後は、設置位置の判定を繰り返す。
【００３４】
設置位置が第１後処理オプション装置１３でない場合、上記のように、次装置である第２後処理オプション装置１４に操作部４が設置されているか否かの判定を行う（ステップｓｄ０）。設置位置が第２後処理オプション装置１４でない場合（ステップｓｄ０、ＮＯ）、次装置での設置位置の判定がなされる。一方、設置位置が第２後処理オプション装置１４である場合（ステップｓｄ０、ＹＥＳ）、操作部４で、操作者によって巻き取りの指示がなされたか否かの判定がなされる（ステップｓｄ１）。巻き取りの指示がなされていない場合（ステップｓｄ１、ＮＯ）、次装置での設置位置の判定がなされる。操作部４で巻き取りの指示がされている場合（ステップｓｄ１、ＹＥＳ）、記憶部７のデータテーブルを参照し、第２後処理オプション装置１４に対応する巻き取り長さデータＤｄを取得し、該データに基づいてケーブル長さ調整部５を制御し、ケーブル３を長さＤｄだけ巻き取る。これによりケーブル３は、第２後処理オプション装置１４への設置に対応した適切な外部長さに調整される。該調整後は、設置位置の判定を繰り返す。
【００３５】
設置位置が第２後処理オプション装置１４でない場合、上記のように、次装置である第１給紙オプション装置１０に操作部４が設置されているか否かの判定を行う（ステップｓｅ０）。設置位置が第１給紙オプション装置１０でない場合（ステップｓｅ０、ＮＯ）、次装置での設置位置の判定がなされる。一方、設置位置が第１給紙オプション装置１０である場合（ステップｓｅ０、ＹＥＳ）、操作部４で、操作者によって巻き取りの指示がなされたか否かの判定がなされる（ステップｓｅ１）。巻き取りの指示がなされていない場合（ステップｓｅ１、ＮＯ）、次装置での設置位置の判定がなされる。操作部４で巻き取りの指示がされている場合（ステップｓｅ１、ＹＥＳ）、記憶部７のデータテーブルを参照し、第１給紙オプション装置１０に対応する巻き取り長さデータＤｅを取得し、該データに基づいてケーブル長さ調整部５を制御し、ケーブル３を長さＤｅだけ巻き取る。これによりケーブル３は、第１給紙オプション装置１０への設置に対応した適切な外部長さに調整される。該調整後は、設置位置の判定を繰り返す。
【００３６】
設置位置が第１給紙オプション装置１０でない場合、上記のように、次装置である第２給紙オプション装置１１に操作部４が設置されているか否かの判定を行う（ステップｓｆ０）。設置位置が第２給紙オプション装置１１でない場合（ステップｓｆ０、ＮＯ）、次装置での設置位置の判定がなされる。一方、設置位置が第２給紙オプション装置１１である場合（ステップｓｆ０、ＹＥＳ）、操作部４で、操作者によって巻き取りの指示がなされたか否かの判定がなされる（ステップｓｆ１）。巻き取りの指示がなされていない場合（ステップｓｆ１、ＮＯ）、次装置での設置位置の判定がなされる。操作部４で巻き取りの指示がされている場合（ステップｓｆ１、ＹＥＳ）、記憶部７のデータテーブルを参照し、第２給紙オプション装置１１に対応する巻き取り長さデータＤｆを取得し、該データに基づいてケーブル長さ調整部５を制御し、ケーブル３を長さＤｆだけ巻き取る。これによりケーブル３は、第２給紙オプション装置１１への設置に対応した適切な外部長さに調整される。該調整後は、設置位置の判定を繰り返す。
上記手順の繰り返しにより、操作部４の設置位置に応じた適切な長さにケーブル３を巻き取って長さ調整を行うことができる。
【００３７】
なお、上記の例では、各設置位置に応じた巻き取り長さがデータとして示されているため、巻き取り前には、ケーブル３が初期設定である最大長さを有していることが必要である。これに対しては、記憶部７に格納されているデータを、各設置位置に応じたケーブル３の適切な長さとすれば、操作部４の設置位置を変更した際にも、適切な長さの差分を制御部６で算出することでケーブル３の必要な長さ調整量が得られる。なお、ケーブル３の長さを長くする必要がある場合には、駆動モータ５３を反転させて巻き取りドラム５２を巻き取りの際とは反対の方向に回転させ、また、駆動ローラ５４、５５をケーブル３を送り出す方向に回転させることで、ケーブル３を画像形成装置２から所定の長さで取り出すことができる。該長さは、制御部６で上記駆動モータ５３、駆動ローラ５４、５５の回転量を制御することで調整することができる。
【００３８】
また、操作部４の設置位置を変更した際に、制御部６による長さ調整量を算出する必要がないように、各設置位置を変更した際の必要な長さ調整量を予めテーブルデータとして記憶部７に格納しておき、制御部６によって、このデータを参照することで、長さ調整量の情報を直ちに得ることができる。以下の表２は、各装置間で操作部の設置位置を変更した際の長さ調整量の例を示しており、縦欄の装置から横欄の装置に設置位置を変更したものとして示している。長さ調整量が正の値で示されているものは、ケーブル３を画像形成装置２から取り出すことが必要な調整長さを示しており、長さ調整量が負の値で示されているものは、ケーブル３を画像形成装置２に巻き取ることが必要な長さ調整量を示している。この例では、操作部４の設置位置を変更する前に、変更後の設置位置情報を操作部４からの操作入力などによって制御部６に与えておくことで、設置位置の変更前に必要な長さでケーブル３を取り入れたり、取り出したりすることもできる。
【００３９】
【表２】
2010243977.tif 000004
【００４０】
また、ケーブル３を手動によって画像形成装置２から引き出し可能にする場合には、前記巻き取りドラム５２や駆動ローラ５４、５５に図示しないエンコーダなどを設け、その回転量を検知することで、ケーブル３の引き出し長さを検知できるようにしておくのが望ましい。これにより、制御部６では、画像形成装置２外での実際のケーブル３の長さを把握することができる。記憶部７に、各設置位置に対応したケーブルの長さのデータが格納されている場合、操作部４の操作位置を設定または変更する際に、記憶部７のデータを参照して、変更前後の各設置位置に対応したケーブルの長さの差分から必要な調整長さを容易に算出することができる。なお、上記エンコーダなどは、巻き取りドラム５２や駆動ローラ５４、５５が回転駆動される際にも回転量を検知することで、ケーブル３の取り入れ量や取り出し量を正確に把握して、巻き取りドラム５２や駆動ローラ５４、５５の動作量の制御に利用することができる。
【００４１】
なお、上記の例では、制御部は、操作部の設置位置情報を取得した後、操作者の実行指令によって、ケーブルの長さ調整を行っているが、操作者の実行指令がある場合でも、操作部の設置位置情報が取得されていない場合には、制御部では、ケーブルの長さ調整を禁止するように制御を行うのが望ましい。
以上、本発明に基づいて上記実施形態に基づいて説明を行ったが、本発明は上記実施形態の内容に限定されるものではなく、本発明の範囲を逸脱しない限りは適宜の変更が可能である。
【符号の説明】
【００４２】
１    画像形成システム
２    画像形成装置
２ａ  ＩＣタグ
２ｂ  操作スイッチ
３    ケーブル
４    操作部
４ａ  操作部設置位置検知センサ
４ｂ  通信制御部
５    ケーブル長さ調整部
６    制御部
７    記憶部
１０    第１給紙オプション装置
１０ａ  ＩＣタグ
１０ｂ  操作スイッチ
１１    第２給紙オプション装置
１１ａ  ＩＣタグ
１１ｂ  操作スイッチ
１２    中継ユニット
１２ａ  ＩＣタグ
１２ｂ  操作スイッチ
１３    第１後処理オプション装置
１３ａ  ＩＣタグ
１３ｂ  操作スイッチ
１４    第２後処理オプション装置
１４ａ  ＩＣタグ
１４ｂ  操作スイッチ
【図１】
2010243977.tif 000005
【図２】
2010243977.tif 000006
【図３】
2010243977.tif 000007
【図４】
2010243977.tif 000008
【図５】
2010243977.tif 000009
【図６】
2010243977.tif 000010